(57)【要約】      （修正有）【課題】耳にピアスホールを開けていない人であっても、全ての好みのピアスを装着することが可能となり、装着されたピアスは自然な装着感を醸し出す、使い勝手に優れたピアスの取付具を提供する。【解決手段】耳たぶを挟持して耳たぶに取り付けられるピアスの取付具であって、耳たぶを挟持する部材は、耳たぶを挟持できる隙間３を備えた略リング状本体２で構成され、略リング状本体は変形容易な弾性撓み材で形成し、略リング状本体の隙間を形成する両端部を、略リング状本体と面一となるように垂直状に立ち上げて挟み部４を形成し、挟み部の位置の１８０度対称となる略リング状本体上の位置に、ピアスのピアスポストを挿通させることができるピアス係止部５を、目的とする耳たぶに対して直交状となるように備える。【選択図】図１
0003214012.tif 000002
【実用新案登録請求の範囲】
【請求項１】
耳たぶを挟持して耳たぶに取り付けられるピアスの取付具であって、耳たぶを挟持する部材は、耳たぶを挟持できる隙間を備えた略リング状本体で構成され、この略リング状本体は変形容易な弾性撓み材で形成し、この略リング状本体の隙間を形成する両端部を、略リング状本体と面一となるように垂直状に立ち上げて挟み部を形成し、この挟み部の位置の１８０度対称となる略リング状本体上の位置に、ピアスのピアスポストを挿通させることができるピアス係止部を、目的とする耳たぶに対して直交状となるように備えたことを特徴とするピアスの取付具。
【請求項２】
ピアス係止部がチューブ状に形成されていることを特徴とする請求項１記載のピアスの取付具。
【請求項３】
挟み部の外側に装飾品取り付け部を形成したことを特徴とする請求項１又は２記載のピアスの取付具。
【請求項４】
全体を透明樹脂素材で形成したことを特徴とする請求項１乃至３のいずれかに記載のピアスの取付具。
【考案の詳細な説明】
【技術分野】
【０００１】
本考案は、耳にピアスホールを開けることなく、好みのピアスを装着できるようにしたピアスの取付具に関する。
【背景技術】
【０００２】
従来より、ピアスには、ピアスポストと称せられる棒状体が存在し、このピアスポストの一端に宝石などの装飾品が固着され、ピアスポストの他端には取り付け用のキャッチと称せられる固定具が取り付けられていた。
このピアスを装着するためには、耳たぶにピアスポストを挿通させるためのピアスホールを穿設する必要があった（実用新案登録第３１１０２８４号）。
【０００３】
一方、耳たぶにピアスホールを開けていない人のために、耳たぶを挟持して保持できる耳装飾具を提供するものも知られている（実用新案登録第３２０９０６３号）。
【先行技術文献】
【特許文献】
【０００４】
【特許文献１】実用新案登録第３１１０２８４号公報
【特許文献２】実用新案登録第３２０９０６３号公報
【考案の概要】
【考案が解決しようとする課題】
【０００５】
ピアスには、多種多様なデザインや装飾品を備えたものが存在するため、ピアスホールを開けてある人にとっては、自分の好みに合うピアスを自由に選択すればまったく問題は起こらない。
【０００６】
しかしながら、金属アレルギーの問題を抱えていたり、体質的な理由などでピアスホールを開けられない人は、一般的なピアスの装着が不可能であった。
本考案は、上記の問題を解決したピアスの取付具を提供せんとするものである。
【課題を解決するための手段】
【０００７】
前記課題を解決するために、請求項１に記載の考案は、耳たぶを挟持して耳たぶに取り付けられるピアスの取付具であって、耳たぶを挟持する部材は、耳たぶを挟持できる隙間を備えた略リング状本体で構成され、この略リング状本体は変形容易な弾性撓み材で形成し、この略リング状本体の隙間を形成する両端部を、略リング状本体と面一となるように垂直状に立ち上げて挟み部を形成し、この挟み部の位置の１８０度対称となる略リング状本体上の位置に、ピアスのピアスポストを挿通させることができるピアス係止部を、目的とする耳たぶに対して直交状となるように備えたことを特徴とするピアスの取付具である。
【０００８】
請求項２に記載の考案は、ピアス係止部がチューブ状に形成されていることを特徴とする請求項１記載のピアスの取付具である。
【０００９】
請求項３に記載の考案は、挟み部の外側に装飾品取り付け部を形成したことを特徴とする請求項１又は２記載のピアスの取付具である。
【００１０】
請求項４に記載の考案は、全体を透明樹脂素材で形成したことを特徴とする請求項１乃至３のいずれかに記載のピアスの取付具である。
【考案の効果】
【００１１】
上記した請求項１に係るピアスの取付具は、耳たぶを挟持できる隙間を備えた略リング状本体で構成され、この略リング状本体は変形容易な弾性撓み材で形成しているため、指先のわずかな力で隙間を広げて耳たぶにあてがい、所望の位置で指先の力を抜くと、復元力により略リング状本体は簡単に耳たぶに取り付けられる効果がある。
ついで、略リング状本体にはピアス係止具が、目的とする耳たぶに対して直交状となるように備えられているため、このピアス係止具にピアスのピアスポストを相通させるだけで、略リング状本体にピアスを一体的に取り付けることができ、取り付けられたピアスは耳たぶに対して直交状となるように取り付けられるので、ピアスの装着状態が不自然とはならないという効果を発揮する。
本公安によればピアスホールを形成することなく、あらゆる好みのピアスを装着することができるため、おしゃれを楽しむことができるという効果が達成される。
【００１２】
また請求項２は、ピアス係止部をチューブ状に形成したため、ピアスポストの挿通が極めて簡単に行えるという効果がある。
【００１３】
さらに請求項３は、挟み部の外側に装飾品取り付け部を形成したため、装着したピアス以外の装飾品を取り付けておしゃれを楽しむことができ、一層おしゃれ感を向上させる効果がある。
【００１４】
つぎに請求項４は、全体を透明樹脂素材で形成したため、ピアスの取付具を目立たなく構成し、実際の使用時にピアス係止部に係止したピアスのみを目立つような効果を発揮する。
【図面の簡単な説明】
【００１５】
【図１】本考案に係るピアスの取付具の正面図である。
【図２】同側面図面図である。
【図３】本考案に係るピアスの取付具に、ピアスを取り付けた状態の正面図である。
【考案を実施するための形態】
【００１６】
以下添付図面に基づいて、本考案ピアスの取付具の一実施の形態を詳説するが、本考案はこれらの実施の形態に制限されるものではない。
図１に示すピアスの取付具１は、略リング状本体２の隙間３を形成する両端部を、垂直状に立ち上げて挟み部４を形成している。
【００１７】
この挟み部４は一対となって耳たぶを挟んで耳たぶに取り付けられるものであり、挟み部４は略リング状本体２と面一となるように垂直状に立ち上げて形成されており、略リング状本体２と挟み部４とが一体となってピアスの取付具１を構成している。
【００１８】
このピアスの取付具１は、全体が可撓性に富んだ素材、例えば変形容易な弾性撓み材である、ポリカーボネイト（ＰＣ）などで形成される。
【００１９】
ついで、本考案は前記挟み部４の位置の１８０度対称となる略リング状本体２上の位置に、ピアス６のピアスポスト７を挿通させることができるピアス係止部５を、目的とする耳たぶに対して直交状となるように備えたピアスの取付具１であり、このピアス係止部５は材料が柔らかければ無垢材で形成しても構わないが、好ましくはチューブ状に形成しておくと、チューブの貫通孔にピアスポスト７を簡単に挿通させることができるので好適である。
【００２０】
また前記挟み部４の外側に装飾品取り付け部８を形成し、その装飾品取り付け部８に装飾品９を糊付けなどの適宜の方法で取り付けると、ピアス本来の美的効果に加えて、装飾品９の美的効果も加味されるため、さらにおしゃれ感が向上することとなる。
【００２１】
このピアスの取付具１は、挟み部４間の隙間３を広げるように指先で力を加えながら耳たぶに装着し、取り外す際には逆の動作を行うこととなる。
さらに、ピアスの取付具１の全体を透明樹脂素材で形成することで、ピアスの取付具１を目立たなくし、ピアス係止部５に係止したピアス６のみを目立つように工夫することも可能である。
【産業上の利用可能性】
【００２２】
本考案のピアスの取付具は、ピアスを製造する現場、さらにピアスを使用する現場で利用することが可能であり、その利用範囲は大変広いものとなる。
【符号の説明】
【００２３】
１ …ピアスの取付具
２ …略リング状本体
３ …隙間
４ …挟み部
５ …ピアス係止部
６ …ピアス
７ …ピアスポスト
８ …装飾品取り付け部
９ …装飾品
【図１】
0003214012.tif 000003
【図２】
0003214012.tif 000004
【図３】
0003214012.tif 000005